(57)【要約】【課題】容易に装置のサイズ又は形状を変更することが可能な獣類捕獲装置を提供する。【解決手段】  獣類捕獲装置１は、側面部を構成する複数の柵ユニット１０〜１０と、複数の扉ユニット１１、１１と、各ユニットを連結する連結コイルと、を備える。各ユニットは横方向に並べて配設され、隣接するユニット同士は、当該ユニットの側縁部に連結コイルを巻き付けることにより連結される。【選択図】図１
0003172057.tif 000002
【実用新案登録請求の範囲】
【請求項１】
複数の側面ユニットと、
前記複数の側面ユニットの少なくとも１つに取り付けられる１又は複数の開閉扉と、
複数の連結部材と、
を備え、
前記複数の側面ユニットが、前記連結部材を用いて互いに連結自在に構成されており、
前記複数の側面ユニットが一定の領域を囲むように横方向に並べられ、隣り合う前記側面ユニット同士が前記連結部材を用いて連結されることにより、捕獲空間が形成される、
獣類捕獲装置。
【請求項２】
前記側面ユニットが、その上部に、前記捕獲空間側に傾斜する傾斜部を有している、
請求項１に記載の獣類捕獲装置。
【請求項３】
前記側面ユニットが、その下部に、前記捕獲空間側に屈曲する屈曲部を有している、
請求項１又は２に記載の獣類捕獲装置。
【請求項４】
前記連結部材は、隣り合う前記側面ユニット同士の側縁部を結束することにより、当該側面ユニット同士を連結するように構成される、
請求項１乃至３の何れかに記載の獣類捕獲装置。
【請求項５】
前記連結部材は、螺旋形状の螺旋部を有しており、前記螺旋部が前記側面ユニット同士の側縁部に巻き付けられることにより、当該側縁部が結束される、
請求項４に記載の獣類捕獲装置。
【請求項６】
複数の前記開閉扉が、それらの開口方向が異なるように、複数の前記側面ユニットにそれぞれ設けられている、
請求項１乃至５の何れかに記載の獣類捕獲装置。
【考案の詳細な説明】
【技術分野】
【０００１】
本考案は、獣類を捕獲するための獣類捕獲装置に関する。
【背景技術】
【０００２】
従来、鹿及び猪等の獣類を捕獲するために種々の捕獲装置が提案、開示されている。特許文献１には、側部材、天部材、及び底部材を有する檻であって、各部材それぞれを通し部材によって連結することで檻を組み立てる動物用箱罠が開示されている。これによれば、通し部材を外すことにより、檻を構成部材毎に分解することができるため、運搬が容易となる。また、各構成部材を通し部材によって連結するだけで檻を組み立てることができ、短時間で且つ容易に罠を設置することができる。
【先行技術文献】
【特許文献】
【０００３】
【特許文献１】特開２００６−７８号公報
【考案の概要】
【考案が解決しようとする課題】
【０００４】
しかしながら、上記の従来の動物用箱罠では、側部材、天部材、及び底部材等の複数の構成部材を組み合わせて、周囲六面を取り囲むような檻を得るため、檻の構成部材の大きさ及び形状により、檻のサイズ及び形状が一意に決まってしまい、自由にサイズ及び形状を変更することができないという問題がある。また、このように自由にサイズ及び形状を変更することができないために、設置可能な場所が限定されてしまうという問題がある。
【０００５】
本考案は斯かる事情に鑑みてなされたものであり、その主たる目的は、上記課題を解決することができる獣類捕獲装置を提供することにある。
【課題を解決するための手段】
【０００６】
上述の課題を解決するために、本考案の一の態様の獣類捕獲装置は、複数の側面ユニットと、前記複数の側面ユニットの少なくとも１つに取り付けられる１又は複数の開閉扉と、複数の連結部材と、を備え、前記複数の側面ユニットが、前記連結部材を用いて互いに連結自在に構成されており、前記複数の側面ユニットが一定の領域を囲むように横方向に並べられ、隣り合う前記側面ユニット同士が前記連結部材を用いて連結されることにより、捕獲空間が形成される。
【０００７】
この態様において、前記側面ユニットが、その上部に、前記捕獲空間側に傾斜する傾斜部を有していることが好ましい。
【０００８】
この態様において、前記側面ユニットが、その下部に、前記捕獲空間側に屈曲する屈曲部を有していることが好ましい。
【０００９】
この態様において、前記連結部材は、隣り合う前記側面ユニット同士の側縁部を結束することにより、当該側面ユニット同士を連結するように構成されていてもよい。
【００１０】
この態様において、前記連結部材は、螺旋形状の螺旋部を有しており、前記螺旋部が前記側面ユニット同士の側縁部に巻き付けられることにより、当該側縁部が結束されるよう構成されていることが好ましい。
【００１１】
この態様において、複数の前記開閉扉が、それらの開口方向が異なるように、複数の前記側面ユニットにそれぞれ設けられていてもよい。
【考案の効果】
【００１２】
本考案に係る獣類捕獲装置によれば、容易に装置のサイズ及び形状を変更することができる。
【図面の簡単な説明】
【００１３】
【図１】獣類捕獲装置の構成を示す斜視図
【図２】柵ユニットの正面図
【図３】柵ユニットの側面図
【図４】扉ユニットの正面図
【図５】扉ユニットの側面図
【図６】柵部の正面図
【図７】柵部の側面図
【図８】ガイド枠部の正面図
【図９】落とし扉の正面図
【図１０】連結コイルによる連結方法を示す模式図
【考案を実施するための形態】
【００１４】
以下、本考案の好ましい実施の形態を、図面を参照しながら説明する。
【００１５】
図１は、本実施の形態に係る獣類捕獲装置１の構成を示す斜視図である。図１に示すように獣類捕獲装置１は、横方向に並べて配設され、獣類捕獲装置１の側面部を構成する１４枚の柵ユニット１０〜１０及び２枚の扉ユニット１１，１１を備える。これらのユニットは、平面視で全体が矩形となるように配設される。なお、扉ユニット１１，１１は、図１に示すように、隣接する別の面にそれぞれ配設される。隣接するユニット同士は、当該ユニットの側縁部に連結コイル（図示せず）を巻き付けることで連結される。ここで、獣類捕獲装置１は上部を封鎖する天井部材等は備えておらず、獣類捕獲装置１の上方は開放されている。
【００１６】
また、獣類捕獲装置１は、扉ユニット１１，１１から獣類捕獲装置１内部への獣類の進入を検知する４つのセンサＳ〜Ｓと、センサＳ〜Ｓの検知に基づいて扉ユニット１１，１１を閉鎖する制御部（図示せず）と、を備える。センサＳ〜Ｓは、獣類捕獲装置１の外部に、扉ユニット１１を挟むように、扉ユニット１１，１１それぞれに２つずつ配設される。このように配設された２つのセンサＳ，Ｓの間を獣類が通過することで、センサＳ，Ｓは、獣類捕獲装置１内部への獣類の進入を検知する。
【００１７】
次に、各ユニットの構成について説明する。なお、以下の説明において、各ユニットを配設し、獣類捕獲装置１を組み立てたときに、各ユニットにおいて獣類捕獲装置１の外側を向く面をユニットの前面、獣類捕獲装置１の内側を向く面をユニットの後面と定義する。また、各ユニットを配設し、獣類捕獲装置１を組み立てたときに、各ユニットにおいて、地面と接する側をユニットの下側、それとは反対側をユニットの上側と定義する。
【００１８】
柵ユニット１０の構成について説明する。図２は柵ユニット１０の正面図、図３は柵ユニット１０の側面図である。柵ユニット１０は、直径６ｍｍの鉄線が等間隔になるよう縦横に直角に配設され、配設された鉄線の各交点が溶接された溶接金網１０ａと、溶接金網１０ａを挟むように配設され、溶接金網１０ａに溶接される直径１０ｍｍの連結鉄筋線１０ｂ，１０ｂと、を備えるパネル状ユニットである。溶接金網１０ａの大きさは、横１０００ｍｍ、縦２５００ｍｍである。連結鉄筋線１１ｂ，１１ｂの長さは、２５００ｍｍであり、溶接金網１０ａの長辺側両端に沿って溶接される。柵ユニット１０の下部は、下端から３００ｍｍの位置でユニットの後面に向かって直角に屈曲しており、屈曲部１０ｃを構成する。また、柵ユニット１０の上部は、上端から５００ｍｍの位置でユニットの後面に向かって４５°傾斜しており、傾斜部１０ｄを構成する。
【００１９】
扉ユニット１１の構成について説明する。図４は扉ユニット１１の正面図、図５は扉ユニット１１の側面図である。扉ユニット１１は柵ユニット１０の下部を開口し、当該開口した部分を開閉可能なように扉を取り付けたユニットであって、柵を構成する柵部１１０と、柵部１１０と連結することによって、柵部１１０との間に扉のガイドを構成するガイド枠部１１１と、柵部１１０とガイド枠部１１１とを連結する６つのブラケット１１２〜１１２と、連結された柵部１１０及びガイド枠部１１１に沿って昇降することが可能な落とし扉１１３と、を備える。
【００２０】
図６は柵部１１０の正面図、図７は柵部１１０の側面図である。柵部１１０は、直径６ｍｍの鉄線が等間隔になるよう縦横に直角に配設され、配設された鉄線の各交点が溶接された溶接金網１１０ａと、直径１０ｍｍの連結鉄筋線１１０ｂ，１１０ｂと、溶接金網１１０ａ及び連結鉄筋線１１０ｂ，１１０ｂが溶接される枠組となる縦アングル１１０ｅ，１１０ｅ及び横アングル１１０ｆ，１１０ｆと、落とし扉１１３を昇降するための開閉トリガＴと、を有する。縦アングル１１０ｅのサイズはＬ３×４０×４０×２０００であり、横アングル１１０ｆのサイズはＬ３×４０×４０×１０００である。横アングル１１０ｆ，１１０ｆは、縦アングル１１０ｅ，１１０ｅの中間部分及び下端のそれぞれに溶接される。これにより、縦アングル１１０ｅ，１１０ｅ及び横アングル１１０ｆ，１１０ｆは、柵部１１０の枠組となる。
【００２１】
溶接金網１１０ａの大きさは、縦１２００ｍｍ、横１０００ｍｍであり、柵部１１０の枠組の上部に溶接される。ここで、枠組に溶接されるのは、溶接金網１１０ａの下部７００ｍｍのみであり、溶接金網１１０ａの上部５００ｍｍは、枠組と溶接されず、ユニットの後面に向かって４５°傾斜した傾斜部１１０ｄを構成する。柵部１１０の下部は開口しており、捕獲対象となる獣類が侵入するための侵入部１１０ｇを構成する。また、連結鉄筋線１１０ｂ，１１０ｂは、縦アングル１１０ｅ，１１０ｅそれぞれに溶接される。また、縦アングル１１０ｅ，１１０ｅの中間部分に溶接された横アングル１１０ｆには、開閉トリガＴが配設される。
【００２２】
開閉トリガＴは、プル型ソレノイドを備える。プル型ソレノイドは、プランジャと呼ばれる可動鉄棒を有しており、初期の状態ではプランジャは突出しているが、プル型ソレノイドに電流が流れると、プランジャはプル型ソレノイド内部に吸引される。本実施の形態では、開閉トリガＴは、初期の状態ではプル型ソレノイドの突出したプランジャが落とし扉１１３を保持し、プル型ソレノイドに電流が流れた場合に、落とし扉１１３を保持しているプランジャがプル型ソレノイド内部に吸引され、落とし扉１１３が落下するように構成されている。
【００２３】
図８はガイド枠部１１１の正面図である。ガイド枠部１１１は、縦アングル１１１ａ，１１１ａ及び横アングル１１１ｂ，１１１ｂを有する。縦アングル１１１ａのサイズは、Ｌ５×４０×４０×１２００ｍｍであり、横アングル１１１ｂのサイズは、Ｌ５×４０×４０×１０００ｍｍである。ここで、横アングル１１１ｂ，１１１ｂは、縦アングル１１１ａ，１１１ａの上端から２００ｍｍの位置及び下端のそれぞれに溶接される。
【００２４】
ガイド枠部１１１は、柵部１１０の侵入部１１０ｇの前面に配設され、ガイド枠部１１１と柵部１１０とは、ブラケット１１２により連結される。このとき、ガイド枠部１１１と柵部１１０とは、約２０ｍｍ程度の間隙を空けて連結される。この間隙は落とし扉１１３のガイドとして機能する。
【００２５】
図９は落とし扉１１３の正面図である。落とし扉１１３は、直径６ｍｍの鉄線が等間隔になるよう縦横に直角に配設され、配設された鉄線の各交点が溶接された溶接金網１１３ａと、溶接金網１１３ａを補強する直径１０ｍｍの鉄筋線１１３ｂと、を有する。溶接金網１１３ａの大きさは、縦１０１０ｍｍ、横１０００ｍｍである。鉄筋線１１３ｂは、溶接金網１１３ａの四辺を取り囲むようにして、溶接金網１１３ａに溶接される。落とし扉１１３は、柵部１１０及びガイド枠部１１１それぞれの縦アングルに沿って昇降可能なように、柵部１１０とガイド枠部１１１との間に設けられた間隙に配設される。
【００２６】
本実施の形態では、複数の柵ユニット１０及び複数の扉ユニット１１を連結することで、獣類捕獲装置１を構成している。このため、任意の数のユニットを自在に連結することが可能であり、柵ユニット１０又は扉ユニット１１の数を増減することで、獣類捕獲装置１のサイズ又は形状を容易に変更することができる。さらに、獣類捕獲装置１は自在に分解可能な複数のユニットを有するため、ユニット毎に分解することで、装置自体を容易に移動させることができる。
【００２７】
また、本実施の形態では、柵ユニット１０及び扉ユニット１１の上部にユニットの後面に向かって傾斜する傾斜部が設けられており、この傾斜部が獣返しとして働くため、上方を封鎖するための天井部材等を備えずとも、獣類捕獲装置１内に捕獲された獣類がユニットを飛び越えて、獣類捕獲装置１から脱出するのを防ぐことができる。これにより、獣類捕獲装置１の上部に、別途、捕獲された獣類の脱出を防ぐための天部材等を設ける必要がなく、装置を軽量化することができる。さらに、上部に別途、天部材等を設ける必要がないために、当該天部材等にサイズ及び形状が依存することがなく、獣類捕獲装置１のサイズ又は形状を容易に変更することができる。
【００２８】
また、本実施の形態では、柵ユニット１０の下部にはユニットの後面に向かって屈曲した屈曲部１０ｃが設けられており、この屈曲部１０ｃが、獣類捕獲装置１内に捕獲された獣類が穴を掘り、獣類捕獲装置１から脱出するのを防ぐ。これにより、獣類捕獲装置１の底部に、別途、獣類の脱出を防ぐための底部材等を設ける必要がなく、装置を軽量化することができる。さらに、底部に別途、底部材等を設ける必要がないために、当該底部材等にサイズ及び形状が依存することがなく、獣類捕獲装置１のサイズ又は形状を容易に変更することができる。
【００２９】
また、本実施の形態では、扉ユニット１１，１１は２つ備えられている。このため、進入部１１０ｇも、扉ユニット１１と同様に２つ設けられる。このように複数の進入部を設けることで、それぞれの進入部から獣類を獣類捕獲装置１内に誘い入れることができ、効率的に獣類を捕獲することができる。
【００３０】
また、本実施の形態では、扉ユニット１１，１１は、隣接する別の面にそれぞれ配設されている。このため、扉ユニットの１１，１１それぞれの進入部１１０ｇ，１１０ｇは、それぞれ別の方向を向く。これにより、複数の方向から獣類を獣類捕獲装置１内に誘い入れることができ、効率的に獣類を捕獲することができる。
【００３１】
上記のような構成の獣類捕獲装置１の使用方法について、以下に説明する。
まず、各ユニットの連結方法について説明する。設置者は、隣接する柵ユニット１０，１０それぞれの連結鉄筋線１０ｂ，１０ｂに各ユニットを連結するための連結部材である連結コイル１２を巻き付ける。これにより、連結鉄筋線１０ｂ，１０ｂが結束され、当該柵ユニット１０，１０が連結される（図１０を参照）。また、設置者は、隣接する柵ユニット１０及び扉ユニット１１についても、同様にしてそれぞれの連結鉄筋線１０ｂ，１１０ｂに連結コイル１２を巻き付ける。これにより、連結鉄筋線１０ｂ，１１０ｂが結束され、当該柵ユニット１０及び扉ユニット１１が連結される。
【００３２】
このように、本実施の形態では、各ユニットは、連結鉄筋線を連結部材で結束することにより連結される。このため、容易に且つ短時間で組み立てたり、分解したりすることができる。
【００３３】
また、本実施の形態では、各側縁部は、連結部材により結束されているだけであるため、従来用いられているボルト止め又は通し部材等による連結のように堅固なものではなく、ある程度の弾力を有する弾性的な連結となる。このように、隣接する各ユニットそれぞれの側縁部は弾性的に連結されるため、獣類捕獲装置１全体は軟構造となる。これにより、獣類捕獲装置１内に捕獲された獣類が、獣類捕獲装置１内から脱出するために暴れ、側面部に衝撃が加わったとしても、各ユニットの連結箇所で当該衝撃を吸収することができ、獣類捕獲装置１の大きな変形や破損等を防ぐことができる。
【００３４】
また、従来用いられているボルト止め又は通し部材等の連結部材による連結の場合、堅固に各構成部材を連結するために、構成部材に強い衝撃が加わる等によって周縁部が変形すると、それに伴って連結部材も変形してしまい、解体が困難となってしまう。一方、本実施の形態では、連結部材は連結鉄筋線を結束しているだけであるため、連結鉄筋線に変形が生じた場合であっても、連結部材は当該変形に対応して回転等の移動をすることが可能である。これにより、連結鉄筋線が変形した場合でも、連結部材が大きく変形することを防ぐことができる。また、たとえ連結部材が大きく変形してしまった場合であっても、当該連結部材は連結鉄筋線を結束するように連結鉄筋線に巻き付けられているだけであるため、容易に取り外すことができる。
【００３５】
次に、獣類捕獲装置１の固定方法について説明する。設置者は、柵ユニット１０の屈曲部１０ｃにペグを打ち込むことにより、当該柵ユニット１０を地面に固定する。また、このように全ての柵ユニット１０〜１０を地面に固定することで、上述のようにして柵ユニット１０と連結された扉ユニットも固定される。
【００３６】
次に、上記のようにして設置した獣類捕獲装置１の獣類捕獲動作について説明する。各扉ユニット１１，１１に設置された開閉トリガＴ，Ｔと各扉ユニット１１，１１の前面に設置されたセンサＳ〜Ｓとは、制御部を介して電気的に接続されている。落とし扉１１３は、開閉トリガＴの有するプル型ソレノイドのプランジャによって保持されるように設置される。ここで、扉ユニット１１の前面に設置されたセンサＳ，Ｓの間を獣類が通過し、センサＳ，Ｓが獣類捕獲装置１内部への獣類の進入を検知すると、センサＳ，Ｓは制御部に対して電気信号を発信する。制御部は当該電気信号を受信すると、各扉ユニット１１，１１に設置された開閉トリガＴ，Ｔに対して電流を流す。当該電流は、開閉トリガＴ，Ｔそれぞれに備えられたプル型ソレノイドを動作させる。これにより、落とし扉１１３，１１３を保持していたプル型ソレノイドのプランジャはそれぞれの保持している各落とし扉１１３から外れ、落とし扉１１３，１１３は落下する。落下した落とし扉１１３，１１３は、各扉ユニット１１，１１の進入部１１０ｇ、１１０ｇを閉鎖する。これにより、獣類捕獲装置１内部に進入した獣類は捕獲される。
【００３７】
（その他の実施の形態）
なお、上述した実施の形態では、柵ユニット１０及び扉ユニット１１は、平面視で矩形となるように配設されているが、本考案はこれに限定されるものではない。例えば、獣類捕獲装置を設置する地形の形状又は状態に応じて、円形又は三角形等、他の形状となるように配設されていてもよい。
【００３８】
また、上述した実施の形態では、柵ユニット１０及び扉ユニット１１それぞれは、サイズ及び形状が同一のものを用いているが、本考案はこれに限定されるものではなく、複数のユニットをそれぞれ連結し、組み立てることが可能であれば、サイズ又は形状の違うユニットを用いてもよい。
【００３９】
また、上述した実施の形態では、獣類捕獲装置１は上部を封鎖する天井部材等は備えておらず、その上方は開放されているが、本考案はこれに限定されるものではない。例えば、獣類捕獲装置のサイズ又は形状の変更に対応できるよう、サイズ又は形状等を調整することができるのであれば、上部を封鎖する部材としてネット又はシート等を備えていてもよい。
【００４０】
また、上述した実施の形態では、柵ユニット１０及び扉ユニット１１は、連結鉄筋線に連結コイル１２を巻き付けることで連結しているが、本考案はこれに限定されるものではない。例えば、各ユニットを連結することができるのであれば、ワイヤークリップ、シャックル、又はクランプ等を用いて連結されていてもよい。ここで、ワイヤークリップ、シャックル、又はクランプ等は取り付ける際に、ねじ締め等の手順が必要となるが、連結コイルを用いる場合、単純に連結鉄筋線に当該連結コイルを巻き付けるだけでよく、他の方法と比較して、より容易且つ短時間で組み立て又は分解をすることができる。このため、本実施の形態の考案では、各ユニットを連結するための連結部材は、連結コイル等のような螺旋状のものを用いることが望ましい。
【００４１】
また、上述した実施の形態では、柵ユニット１０及び扉ユニット１１に、鉄線を組み合わせた溶接金網を用いているが、本考案はこれに限定されるものではない。例えば、獣類捕獲装置内に捕獲された獣類が脱出しないよう構成されているのであれば、溶接金網を用いている部位に、複数の鉄棒を配設することで、鉄柵を構成するようにしてもよい。しかし、複数の鉄棒を配設し、鉄柵を構成する等の場合、溶接金網を用いた場合と比較して、各ユニットの重量が重くなってしまう。このため、本考案では軽量化のために、溶接金網を用いることが望ましい。
【００４２】
また、上述した実施の形態では、柵ユニット１０及び扉ユニット１１の上部に設けられた傾斜部は、４５°傾斜するよう構成されているが、本考案はこれに限定されるものではなく、獣類捕獲装置内に捕獲された獣類がユニットを飛び越えて脱出することを防ぐことができるのであれば、角度は問わない。
【００４３】
また、上述した実施の形態では、扉ユニット１１は、柵ユニット１０下部の進入部１１０ｇを、落とし扉１１３を昇降させることで開閉するよう構成されているが、本考案はこれに限定されるものではない。例えば、柵ユニットの一部を開閉することができるのであれば、開き戸又は引き戸等のような構成であってもよい。
【００４４】
また、上述した実施の形態では、扉ユニット１１，１１は、隣接する別の面にそれぞれ配設されるが、本考案はこれに限定されるものではなく、獣類捕獲装置内に獣類を誘い入れることができるのであれば、対向する面又は同一の面等にそれぞれ配設されていてもよい。
【００４５】
また、上述した実施の形態では、扉ユニット１１は、２つ備えられているが、本考案はこれに限定されるものではなく、獣類捕獲装置内に獣類を誘い入れることができるよう、少なくとも１つ以上備えられていればよい。
【００４６】
また、上述した実施の形態では、センサＳ〜Ｓは、扉ユニット１１の前面に配設されているが、本考案はこれに限定されるものではなく、獣類捕獲装置内への獣類の進入を検知することができるのであれば、扉ユニットの後面又は上部等、どのような位置に配設されていてもよい。
【００４７】
また、上述した実施の形態では、扉ユニット１１の開閉には開閉トリガＴとセンサＳを用いているが、本考案はこれに限定されるものではない。例えば、落とし扉をワイヤ及び滑車を用いて昇降できるよう構成しておき、当該ワイヤを獣類捕獲装置内に設置した仕掛けと連動させ、当該仕掛けに獣類が触れると落とし扉が落ち、進入部を閉鎖するように構成されていてもよい。または、当該ワイヤ及び滑車を用いて、人が任意のタイミングで進入部を閉鎖できるように構成されていてもよい。
【産業上の利用可能性】
【００４８】
本考案の獣類捕獲装置は、獣類を捕獲する獣類捕獲装置として有用である。
【符号の説明】
【００４９】
１    獣類捕獲装置
１０    柵ユニット
１１    扉ユニット
１２    連結コイル
１０ａ，１１０ａ，１１３ａ    溶接金網
１０ｂ，１１０ｂ    連結鉄筋線
１０ｃ    屈曲部
１０ｄ，１１０ｄ    傾斜部
１１０    柵部
１１１    ガイド枠部
１１２    ブラケット
１１３    落とし扉
１１０ｅ，１１１ａ    縦アングル
１１０ｆ，１１１ｂ    横アングル
１１３ｂ    鉄筋線
Ｔ    開閉トリガ
Ｓ    センサ
【図１】
0003172057.tif 000003
【図２】
0003172057.tif 000004
【図３】
0003172057.tif 000005
【図４】
0003172057.tif 000006
【図５】
0003172057.tif 000007
【図６】
0003172057.tif 000008
【図７】
0003172057.tif 000009
【図８】
0003172057.tif 000010
【図９】
0003172057.tif 000011
【図１０】
0003172057.tif 000012